Podtech/llm-jp-corpus-v4-ja_patent huggingface dataset:
(57)【要約】      （修正有）【課題】バッグインボックス型液体包装体を従来の液体供給装置の連結管に直接取り付け、重量バランスを崩すことなく安定して使用することができるようにする。【解決手段】金属製角パイプ２をジョイント３でつなぎ枠組みし、ジョイント３下部の空間に吸着盤４を螺子５で固定し、その吸着盤により台座１を液体供給装置７の上部に取り付けられるようにした。また、バッグインボックス型液体包装体が台座１の上で水平に載せられるように台座後部にゴムパッキン６を設けた。【選択図】図１
0003103302.tif 000002
【実用新案登録請求の範囲】
【請求項１】
金属性角パイプ２をジョイント３で枠組みし、ジョイント３の下方に吸着盤４を螺子５で固定し、液体供給装置７の上面に取り付け、バッグインボックス型液体包装体９の液体供給口１０を液体供給装置７側の連結管８に直接取り付け、安定して使用することができる台座。
【請求項２】
バッグインボックス型液体包装体９が台座１の上で水平に載せられるように台座後部にゴムパッキン６を設けた台座。
【考案の詳細な説明】
【考案の詳細な説明】
【背景技術】
【０００１】  冷却された飲料水と、これの温水とを供給する液体供給装置が多くの職場などに設置されている。この供給装置に飲料水を供給する手段としては飲料水を充填した大型ペットボトルを供給装置上部の受け部に連結管を介して直接セットし、装置の閉止栓を操作することで飲料水が供給される方法がとられている。【０００２】  しかし、この大型ペットボトルでの飲料水の供給方法には本質的な問題がある。即ち、装置の閉止栓を開放し飲料水を供給するが、そのときに周囲の空気を大型ペットボトル内部に吸入してしまい、飲料水を汚染する可能性が高いという問題点がある。【０００３】  このような大型ペットボトルによる飲料水の供給方法に代わる効果的な供給方法としてバッグインボックス型液体包装体がある。この包装体では飲料水を供給するとき、ダンボール箱に収容されたバッグが収縮するため周囲の空気を吸入しないという利点がある。【０００４】  しかしながら、このバッグインボックスにも問題がある。即ち、包装体の液体供給口と液体供給装置を連結するときに、ネジ付キャップをコック付キャップに交換した後、コックと液体供給装置側のホースを接続するなどの操作が必要であり、この操作のときに手がコックや、ホース、その近辺に触れ、菌が発生する恐れがある。【０００５】  そこで、バッグインボックス型液体包装体の特徴を生かし、この包装体の供給口を、大型ペットボトルを使用して飲料水を供給する方式の液体供給装置に適用できる包装体とした。
【考案が解決しようとする課題】
【０００６】  バッグインボックス型液体包装体９の液体供給口１０がダンボール面の中心より偏っているために、液体供給口１０を液体供給装置７の連結管（突出部材）８に直接セットして使用する際、重量のバランスがとれず、液体包装体９および液体供給装置７自体も安定して設置できないという問題点を有していた。
【課題を解決するための手段】
【０００７】  上記目的を達成するために、金属製角パイプ２をジョイント３でつなぎ枠組みとし、ジョイント３下部の空間に吸着盤４を螺子５で固定し、その吸着盤４により台座１を液体供給装置７の上面に取り付けられるようにした。また、バッグインボックス型液体包装体９が台座１の上で水平に載せられるように台座後部にゴムパッキン６を設けた。
【考案の効果】
【０００８】  本考案により、バッグインボックス型液体包装体９の液体供給口１０を液体供給装置７側の連結管８に直接取り付けて使用するとき、重量バランスを崩すこと無く、安定して使用することができる。
【図面の簡単な説明】
【図１】  台座の平面図である。
【図２】  台座の側面図である。
【図３】  液体供給装置上部に取り付けた台座にバッグインボックス型液体包装体をセットした状態の一部を断面して示す側面図である。
【図４】  バッグインボックス型液体包装体の斜視図である。
【符号の説明】
１  台座
２  金属製角パイプ
３  ジョイント
４  吸着盤
５  螺子
６  ゴムパッキン
７  液体供給装置
８  連結管（突出部材）
９  バッグインボックス型液体包装体
１０  液体供給口
１１  ダンボール
１２  バッグ
【図１】
0003103302.tif 000003
【図２】
0003103302.tif 000004
【図３】
0003103302.tif 000005
【図４】
0003103302.tif 000006
(57)【要約】【目的】はがきの表面にあて先，差し出し人の双方の住所を書くときに，それぞれの所在地番および番号を，アラビヤ数字で書けるので，あまり神経質にならず，スムーズに書き易い横長型のはがきを提供する。【構成】はがき（１）を横長にして，その表面の左側上の位置に，あて先の郵便番号の枠（２）を設け，差し出し人の郵便番号の枠（３）を右側下の位置に設け，切手を貼る枠（４）を右側上の位置に設ける。【選択図】　　図１
0003097742.tif 000002
【実用新案登録請求の範囲】
【請求項１】
はがき（１）を横長にして，はがき（１）の表面の左側上の位置に，あて先の郵便番号の枠（２）（２）を設け，はがき（１）の差し出し人の郵便番号の枠（３）（３）を右側下の位置に設け，切手を貼る枠（４）（４）を右側上の位置に設けたことを特徴とする横長型のはがき
【考案の詳細な説明】
【０００１】
【産業上の利用分野】
この考案は、はがきの表書きをするとき，横長の型で書くはがきに関するものである。
【０００２】
【従来の技術】
従来のはがきは，たて書きを建前とした考えに基づいた官製のはがきであって，それが当り前のことと考えられ，使用されている。
【０００３】
【考案が解決しようとする課題】
これは次のような欠点があった。
（イ）従来のはがきは，表書きも裏書きもたて書きの発想に基づいて作られていて，よこ書きで使用する考え方は，存在しなかった。
（ロ）昨今，分譲・賃貸マンションおよび団地の住宅が，年々増加しており，これらの住所は，所在地番，建物の棟番号，階数および部屋番号で表示されている。これらの住所に，はがきを出す場合，宛て先も差し出す側も沢山の数字をたて書きで書くとき，住所を，間違いなく，正しく書くには，余計な神経を使い書き辛い欠点がある。
本考案は，以上の欠点を解決するために考案されたものである。
【０００４】
【課題を解決するための手段】
はがき（１）を横長にして，はがき（１）の表面の左側上の位置に，あて先の郵便番号の枠（２）（２）を設け，はがき（１）の差し出し人の郵便番号枠（３）（３）を右側下の位置の設け，切手を貼る枠（４）（４）を右側上の位置に設けたことを特徴とする横長型のはがきである。
【０００５】
【作用】
はがきを横長の状態で使用し，あて先も差し出し人の住所も，よこ書きとし，その番地および番号は，アラビヤ数字で表示する。
【０００６】
【実施例】
はがき（１）を横長の状態で使用する。あて先の郵便番号の枠（２）にあて先の郵便番号を記入し，あて先の住所は，郵便番号の枠（２）より多少下部の位置よりよこ書きで書き，その番地および番号をアラビヤ数字で表示する。差し出し人の住所は，郵便番号の枠（３）に差し出し人の郵便番号を記入し，はがき（１）の下部左の位置よりよこ書きにして，その番地および番号をアラビヤ数字で表示し，あて先と差し出し人の住所の記載は完了する。
【０００７】
【考案の効果】
住所を書くときに，紙面状ゆったりとしたスペースがあり，横書きのため番地や番号をアラビヤ数字で表示出来るので，あまり神経質にならず，スムーズに書き易くなった。郵便配達の職員の方々も，住所の判読が容易になると思われる。
はがき裏面（５）（５）の使用方法としては，（イ）横長の状態でよこ書きに（ロ）たて長の状態でたて書きに，（ハ）たて長の状態でよこ書きが可能であり，まさに利便性を備えている。
【図面の簡単な説明】
【図１】本考案の表面図
【図２】本考案の裏面図
【符号の説明】
１　はがきの表面
２　あて先の郵便番号の枠
３　差し出し人の郵便番号の枠
４　切手を貼る枠
５　はがきの裏面
【図１】
0003097742.tif 000003
【図２】
0003097742.tif 000004
(57)【要約】【課題】バストアップや体型補整のための補強布を用いるときに、その縫合する手間を省き、しかも縫目部分のゴロ付きやほつれ等の心配もない婦人下着を提案する。【解決手段】婦人下着表生地の裏側の要所に非伸縮性又は伸縮力の非常に強い補強布を該表生地及び補強布より融点の低い熱可塑性の樹脂又は接着剤により全面にわたって加熱溶着してなることを特徴とする婦人下着。また、補強布を表生地に加熱金属板を用いて加熱溶着する際に、加熱金属板の押圧面に凹凸柄を設けておいて、表生地表面にその凹凸柄を浮き上がらせるようにすることもできる。【選択図】　　図１
0003097750.tif 000002
【実用新案登録請求の範囲】
【請求項１】
下着表生地の裏側の要所に非伸縮性又は伸縮力の非常に強い補強布を該表生地及び補強布より融点の低い熱可塑性の樹脂又は接着剤により全面にわたって加熱溶着してなることを特徴とする婦人下着。
【請求項２】
前記補強布を表生地に加熱金属板を用いて加熱溶着する際に、加熱金属板の押圧面に凹凸柄を設けておいて、表生地表面にその凹凸柄を浮き上がらせて構成されてなる請求項１記載の婦人下着。
【考案の詳細な説明】
【０００１】
【考案の属する技術分野】
本考案は、ブラジャーやガードル、ショーツ等の伸縮性生地を使用している婦人下着の改良に関するものである。
【０００２】
【従来の技術】
従来、ブラジャーのカップ部やガードル、ショーツ等の腹押え部等には、バストアップ機能や体型補整機能を付与するため、非伸縮性又は非常に伸縮力の強い別生地を縫合しているが、その縫合のための手間がかかるだけでなく、着用したときに縫合部にゴロ付きが生じたり、洗濯により縫合部がほつれる等の欠点があった。
【０００３】
【考案が解決しようとする課題】
本考案は、バストアップや体型補整のための補強布を用いるときに、その縫合する手間を省き、しかも縫目部分のゴロ付きやほつれ等の心配もない婦人下着を提案するものである。
【０００４】
【課題を解決するための手段】
本考案は、下着表生地の裏側の要所に例えば不織布やダブルラッセル生地のような非伸縮性のあるいはパワーネットのような伸縮力の非常に強い補強布を、表生地及び該補強布より融点の低い熱可塑性の樹脂又は接着剤により全面にわたり加熱溶着してなることを特徴とする婦人用下着に関するもので、上記補強布の止着手段として縫合によらないようにして、前記のような従来の欠点を解消したものである。以下、本考案の実施形態を図により説明する。
【０００５】
【考案の実施の形態】
図１は、本考案の婦人下着の一例としてブラジャーを示したもので、ブラジャー１のカップ部２を構成する伸縮性のある表生地３の裏面のほぼ下半部に非伸縮性の例えば不織布のような略円弧形の補強布４を該布４の全面に渡って溶着する（図２）。
【０００６】
上記補強布４としては、不織布やダブルラッセル生地のような非伸縮性生地のほか、パワーネットのような非常に伸縮力の強い生地を用いてもよい。
【０００７】
また、補強布４の表生地３への溶着方法としては、例えば表生地３を縫合後に該表生地３及び該補強布４より融点の低い熱可塑性樹脂又は接着剤を該補強布４の止着面全面に塗布しておき、両生地３、４を２枚の加熱金属板で挟圧することにより行われる。
【０００８】
そして、補強布４の表生地３への加熱溶着が終了したら、ブラジャー１のセンター布５と縫合するのである。
【０００９】
図３は、本考案の他の例としてガードルに適用した場合を示すもので、ガードル７のフロント部８の裏側に上方を少しあけて該フロント部８と同形の補強布４を上記と同様にして加熱溶着するのである。
【００１０】
なお、補強布４をフロント部８裏側に溶着する際、加熱金属板の一方又は双方の押圧面を図柄を表現した凹凸型としておけば、フロント部８の生地表面にその凹凸柄９を浮き上がらせることができ（図４）、この凹凸柄９は着用や洗濯によっても消えることはない。勿論、この凹凸柄９は、ブラジャー１について使用してもよい。
【００１１】
また、ガードル７における補強布４は、図示のような腹部の生地だけでなく、ヒップアップ機能を付与するために臀部布の裏側所定個所に溶着することもできる。
【００１２】
図５は、本考案をショーツに適用した例で、ショーツ１０の腹部相当個所（図５で点線で示す部分）の裏側に上記と同様にして補強布４を溶着している。
【００１３】
【考案の効果】
本考案の婦人下着は上述のようにしてなり、非伸縮性又は伸縮力の強い補強布を、表生地の裏側の所要個所に縫合によらないで、溶着によって止着するので、ブラジャーにおけるバストアップ機能やガードル等における体型補整機能は従来と何ら変ることがなく、しかも補強布の止着が極めて簡単で、ホツレの心配がなく、縫合の手間も省けるだけでなく、着用したときに縫合部のようなゴロ付き感や段差がなくなり、スッキリと肌に接して着用感も良好である。
【図面の簡単な説明】
【図１】本考案に係る婦人下着の一例としてブラジャーに適用した場合の斜視図である。
【図２】ブラジャーの左右カップ生地を裏面からみた説明図である。
【図３】本考案に係る婦人下着の一例としてガードルに適用した場合の正面説明図である。
【図４】ガードルのフロント生地部分の正面説明図である。
【図５】本考案に係る婦人下着の一例としてショーツに適用した場合の正面説明図である。
【符号の説明】
１−ブラジャー
２−ブラジャーのカップ部
３−カップ部の表生地
４−補強布
５−ブラジャーのセンター布
６−ブラジャーの脇布
７−ガードル
８−ガードルのフロント部
９−凹凸柄
１０−ショーツ
【図１】
0003097750.tif 000003
【図２】
0003097750.tif 000004
【図３】
0003097750.tif 000005
【図４】
0003097750.tif 000006
【図５】
0003097750.tif 000007
(57)【要約】【課題】仏壇を礼拝する度に礼拝者が絵を見ることができるようにする。【解決手段】仏壇本体（１）の内側面（３ａ）に絵（５）を着脱自在に取り付けたことを特徴とする仏壇。絵には写真も含まれる。絵は、例えば曼荼羅等の仏画とするが、故人の写真や肖像画、或いは故人が好んだ絵画等であっても差し支えない。仏壇本体の内側面に絵を着脱自在に取り付ける際には、仏壇本体の内側面に支持具（７）を突設し、該支持具に絵を支持させてもよいが、仏壇本体の内側面に凹部（９）を形成し、該凹部内に絵を嵌着してもよく、更には、仏壇本体の内側面に粘着材、接着剤等の固定手段（１３）により絵を取り付けても差し支えない【選択図】図１
0003097743.tif 000002
【実用新案登録請求の範囲】
【請求項１】
仏壇本体の内側面に絵を着脱自在に取り付けたことを特徴とする仏壇。
【考案の詳細な説明】
【０００１】
【考案の属する技術分野】
本考案は仏壇に関するものであり、特に仏壇本体の内側面に絵を取り付けた仏壇に係るものである。
【０００２】
実用新案登録請求の範囲を含む本明細書における「絵」には写真も含まれるものとする。
【０００３】
【従来の技術】
仏壇は仏像や位牌を安置して礼拝する壇として長年にわたり使用されているが、仏壇本体内に絵を着脱自在に取り付けた仏壇は知られていない。
【０００４】
【考案が解決しようとする課題】
本考案は、仏壇本体内に絵を着脱自在に備えさせ、仏壇を礼拝する度に礼拝者が絵を見ることができるようにした仏壇を提供しようとしてなされたものである。
【０００５】
【課題を解決するための手段】
上記課題を解決するために、本考案は、仏壇本体の内側面に絵を着脱自在に取り付けたことを特徴とする仏壇を提供するものである。
【０００６】
実用新案登録請求の範囲を含む本明細書において、「仏壇本体」とは、正面開口部に開閉扉を備え、仏像や位牌を内設した箱状体をいうものとし、「内側面」とは、仏壇本体における相対向する左右一対の側壁部のうちいずれか一方又は両方の側壁部の内側の面をいうものとする。
【０００７】
【作用】
本考案による仏壇においては、仏壇本体の内側面に取り付けられている絵は礼拝者から見易い位置にあり、礼拝者は該絵が醸し出す雰囲気の中で礼拝することができる。即ち、礼拝者は仏壇本体の内側面に取り付けられている絵により、荘厳な若しくは厳粛な気分で、或いは故人を偲びつつ礼拝することができる。
【０００８】
絵は仏壇本体の内側面に着脱自在に取り付けられているため、該絵を必要に応じて取り外し或いは他の絵と交換することができる。
【０００９】
【考案の実施の形態】
次に、本考案の実施の形態を添付図面に従って説明する。
【００１０】
図１は本考案による仏壇の一例を示すものである。符号１に示すものは仏壇本体、符号３に示すものは仏壇本体１の側壁部、符号４に示すものは開閉扉である。
【００１１】
仏壇本体１における側壁部３の内側面３ａに絵５を着脱自在に取り付ける。
【００１２】
絵５は好ましくは額縁６に嵌め込んだものとするが、絵５は額縁６を有しないプレート状のものであっても差し支えない。
【００１３】
絵５は、例えば曼荼羅等の仏画とするが、故人の写真や肖像画、或いは故人が好んだ絵画等であっても差し支えない。
【００１４】
仏壇本体１の内側面３ａに複数の絵５、５・・・を取り付け、仏壇１内をいわば画廊の如くなしてもよい。
【００１５】
絵５を仏壇本体１の内側面３ａに着脱自在に取り付ける際には、例えば図２〜４に示す如くなす。
【００１６】
図２に示す事例においては、仏壇本体１の内側面３ａに支持具７、７を突設し、該支持具７、７に絵５を支持させている。
【００１７】
図３に示す事例においては、仏壇本体１の内側面３ａに凹部９を形成し、該凹部９内に絵５を嵌着している。符号１１に示すものは仏壇本体１の内側面３ａに回動自在に取り付けた保持具である。絵５を凹部９内に嵌着した後、保持具１１を回動させて絵５の表面を押えさせることにより、絵５が凹部９から脱落することを防止している。
【００１８】
図４に示す事例においては、仏壇本体１の内側面３ａに粘着材、接着剤等の固定手段１３により絵５を取り付けている。
【００１９】
【考案の効果】
以上説明したように、本考案による仏壇は、仏壇本体の内側面に絵を取り付けているため、礼拝者は該絵が醸し出す雰囲気の中で礼拝することができる。即ち、礼拝者は仏壇本体の内側面に取り付けられている絵により、荘厳な若しくは厳粛な気分で、或いは故人を偲びつつ礼拝することができる。
【００２０】
絵は仏壇本体の内側面に着脱自在に取り付けられているため、該絵を必要に応じて取り外し或いは他の絵と交換することができる。
【図面の簡単な説明】
【図１】本考案による仏壇の一例を示す正面図である。
【図２】仏壇本体の内側面に絵を取り付けた状態の一例を示す側面図である。
【図３】仏壇本体の内側面に絵を取り付けている状態の別の一例を示す側面図である。
【図４】仏壇本体の内側面に絵を取り付けた状態の更に別の一例を示す側面図である。
【符号の説明】
１　仏壇本体
３　側壁部
３ａ　内側面
４　開閉扉
５　絵
６　額縁
７　支持具
９　凹部
１１　保持具
１３　固定手段
【図１】
0003097743.tif 000003
【図２】
0003097743.tif 000004
【図３】
0003097743.tif 000005
【図４】
0003097743.tif 000006
(57)【要約】　　　（修正有）【課題】従来、繊維や抗菌材等様々な素材がマスクに使用されてきた。しかし、細菌やウイルスの侵入は防ぐことはできたが、細菌を死滅させることや、ウイルスを不活性化させることはできない等の問題点を有していた。最近の新型肺炎（重症急性呼吸器症候群＝ＳＡＲＳ）では、致死率は１４〜１５％となっており、対抗し得る有効なマスクが急遽求められていることに鑑み、新規なマスクを提供する。【解決手段】細胞の壁に穴を開けて内部浸透圧により細胞自体を破裂させ、細菌を死滅に至らせる溶菌酵素からなる殺菌酵素フィルター２を挟んで外側及び内側に捕集補助用の外被層３及び内保護層１を設けてなるマスクであって、口腔への侵入を防止する構成とする。【選択図】図１
0003097786.tif 000002
【実用新案登録請求の範囲】
【請求項１】
溶菌酵素からなる殺菌酵素フィルターを挟んで外側及び内側に捕集補助用の外被層及び内保護層を設けてなることを特徴とするマスク
【考案の詳細な説明】
【０００１】
【考案の属する技術分野】
本考案は、細菌を死滅させ、ウイルスを不活性化させることができ、細菌やウイルスの口腔内への侵入を防止するマスクに関するものである。
【０００２】
【従来の技術】
従来、繊維や抗菌材等様々な素材がマスクに使用されてきた。しかし、細菌やウイルスの侵入は防ぐことはできたが、捕集した細菌を死滅させることや、ウイルスを不活性化させることはできない等の問題点を有していた。
【０００３】
最近流行の新型肺炎（重症急性呼吸器症候群＝ＳＡＲＳ）では、致死率は１４〜１５％となっており、これに対応し得る有効なマスクが急遽求められている。
【０００４】
【考案が解決しようとする課題】
解決しようとする問題点は、外気から呼吸時に侵入する細菌やウイルスを簡易に捕集しそして完全に死滅させることにある。
【０００５】
【課題を解決するための手段】
本考案は、前記のことから、細胞の壁に穴を開けて内部浸透圧により細胞自体を破裂させ、細菌を死滅に至らせる溶菌酵素からなる殺菌酵素フィルターを挟んで外側及び内側に捕集補助用の外被層及び内保護層を設けたマスクを提供することで簡易に細菌やウイルスが口腔内へ侵入することを防止する。
【０００６】
【考案の実施の形態】
以下本考案の実施の形態について図面を参照して説明する。
【０００７】
図１は、本考案の１実施例を示す斜視図であって、その円状の点線で図示拡大して分かるように、マスクは、溶菌酵素からなる殺菌酵素フィルター（２）からなる素材を中心として、その外側（口腔の反対側）のは外被層（３）が設けられ、又内側には、内保護層（１）が設けられている。
【０００８】
外被層（３）は、綿、合成繊維（ポリプロピレン等）や紙等からなり、外気から吸気時に、細菌やウイルスの侵入に対して捕集作用を行い、溶菌酵素からなる殺菌酵素フィルター（２）の殺菌作用を補助する。内保護層（１）は、外被層（３）の素材と同じようなものが用いられるが、作用としては、外被層（３）の細菌の捕集性の性質とは異なり吸湿性や快適性のある素材が選択される。
【０００９】
内保護層（１）及び外被層（３）を設けるのは、捕集効率が溶菌酵素からなる殺菌酵素フィルター（２）だけでは低いので設けたものである。その他、内外のこれら層は必要に応じて更に複層とすることもできる。
【００１０】
酵素殺菌材としては、殺菌力のある殺菌酵素フィルターが採用できる。酵素としては、加水分解酵素、酸化還元酵素、転移酵素、異性化酵素、合成酵素の６種類に分かれる。酵素フィルターに利用されているのは。加水分解酵素の一種で細胞壁を溶解する機能を持っているので、溶菌酵素と呼ばれている。
【００１１】
この酵素フィルターは、酵素が細胞壁のペプチド結合等の化学結合を切断し細胞壁に穴を開けて内部浸透圧により細胞自体を破裂させ、細菌を死滅に至らせるもので、殺菌性も強力で、殺菌速度も早く、人体や環境にも影響がない。又、触媒作用による殺菌であるので、エネルギーは不要である。更には、重金属や薬剤等の毒性作用により生命機能を阻害するものではなく、物理的な殺菌作用を利用するので、ＭＲＳＡ等の耐性菌の生成はしない。従って、携帯し装具等が付けられないマスクに利用した場合には、実に好都合となる。この溶菌・殺菌酵素フィルターはこの酵素をレイヨン等に固定化（分子レベルで化学結合）させて形成する。
【００１２】
図２に示すものは、他の実施例であって、マスクの内外層（１）（３）は同じように形成されるが、溶菌酵素からなる殺菌酵素フィルター（３）は、外被層（３）内に設けたポケット（４）内に着脱自在となるように構成されている。従って、使用限度が来たならば取り替えも自在に行えることになる。
【００１３】
【考案の効果】
以上説明したように本考案のマスクは、従来のマスクと比較して、簡易に捕集し、細菌を確実に死滅させ、ウイルスを不活性化させる事が可能となった。
【図面の簡単な説明】
【図１】本考案の一実施例であるマスクを示す。
【図２】本考案を他の実施例であるマスクを示す。
【符号の説明】
１　　内保護層
２　　溶菌酵素からなる殺菌酵素フィルター
３　　外被層
４　　ポケット
【図１】
0003097786.tif 000003
【図２】
0003097786.tif 000004
(57)【要約】　　　（修正有）【課題】スケッパーの摩耗粉が発生しない麺類用の回転式裁断装置を提供する。【解決手段】互いに逆方向に回転している両回転ローラ１、２間に挿入された原料は、互いに噛合う回転ローラの刃部１ａ、２ａで細長く裁断されて回転ローラの各溝部１ｂ、２ｂに嵌まり込む。この嵌まり込んだ細長い麺類は、回転ローラ出口部に設置されている固定スケッパー１３、１４で剥がされながら、回転ローラの各溝部１ｂ、２ｂから吐出される。【選択図】　　図１
0003097740.tif 000002
【実用新案登録請求の範囲】
【請求項１】
麺類を細く裁断するための回転式裁断装置であり、軸方向に多数の刃部を有する第一の回転ローラと、同第一の回転ローラの各刃部に対向する刃部を軸方向に多数有して同第一の回転ローラに平行に回転可能に支持される第二の回転ローラ、およびこれらそれぞれの回転ローラの刃部溝に嵌合され、かつ刃部溝底に接触することなく固定支持される固定式スケッパーとからなり、一対の回転ローラで裁断された麺線を固定式スケッパーで刃部溝から滑らかに剥がしとることを特徴とする麺類用の回転式裁断装置。
【考案の詳細な説明】
【０００１】
【考案の属する技術分野】
本考案は、麺類を細く裁断するための麺類用の回転式裁断装置に関する。
【０００２】
【従来の技術】
製麺機にて機械的手段により麺類を製造する場合に採用される麺類用の回転式裁断装置は、一般には図２に示すように、外周にて軸方向に所定間隔を保持して多数の刃部１ａ、２ａを有する２本の回転ローラ１、２が互いに噛合わされた状態で平行に配置されて回転可能に支持され、これらそれぞれの回転ローラの溝１ｂ、２ｂに櫛歯状のスケッパー３、４が回転ローラの溝底にスケッパーの櫛歯の先端が擦れるように勘合されて、後ステー１８ａ、前ステー１８ｂに、それぞれ、締め代を持たせて支持されている。当該回転式裁断装置においては、麺類の平板状の原料を互いに逆方向に回転している両回転ローラ１、２間に挿入することにより、平板状の原料が細長く裁断されて回転ローラの各溝部１ｂ、２ｂに嵌まり込む。これをスケッパー３、４で掠り剥がして、各溝部１ｂ、２ｂから細長く裁断された麺類が吐出される。この場合、スケッパー３、４は、スケッパーの櫛歯の先端が回転ローラの溝１ｂ、２ｂの底から浮かないように、一定の押え力で押し付けられている。
【０００３】
【考案が解決しようとする課題】
このように、従来の回転式裁断装置においては、スケッパー３、４の櫛歯の先端が、それぞれ、回転ローラの各溝部１ｂ、２ｂに押し付けられて接触しているので、スケッパーの櫛歯の先端から摩耗粉が発生し、この摩耗粉が空気中で酸化して黒くなり、細長く裁断された麺類に付着して異物混入の原因になっている。
【０００４】
本考案の目的は、従来の回転式裁断装置におけるスケッパーの概念を根本から変革して、回転ローラの各溝部の底に接触しないスケッパーを考案し、スケッパーの摩耗粉が発生しない麺類用の回転式裁断装置を提供することにある。
【０００５】
【課題を解決するための手段】
従来の回転式裁断装置におけるスケッパーは、図２のスケッパー３、４に見るように、スケッパーの櫛歯の先端が回転ローラの溝１ｂ、２ｂの底から浮かないように、一定の押え力で押し付けられているのに対して、本考案の回転式裁断装置におけるスケッパーは、図１に見るように、スケッパー１３、１４の櫛歯の先端が回転ローラの溝１ｂ、２ｂの底にすれすれに、かつ、接触することなく支持されている。
【０００６】
【考案の実施の形態】
本考案の回転式裁断装置で麺類の平板状の原料を細く裁断する場合、互いに逆方向に回転している両回転ローラ１、２間に挿入された原料は、互いに噛合う回転ローラの刃部１ａ、２ａで細長く裁断されて回転ローラの各溝部１ｂ、２ｂに嵌まり込む。この嵌まり込んだ細長い麺類は、回転ローラ出口部に設置されている固定スケッパー１３、１４で剥がされながら、回転ローラの各溝部１ｂ、２ｂから吐出される。
【０００７】
【実施例】
図１には、本考案に係る麺類用の回転式裁断装置の一例が示されている。当該回転式裁断装置１０は、軸方向に多数の刃部１ａを有する第一回転ローラ１と、第一回転ローラ１の各刃部１ａに対向する刃部２ａを軸方向に多数有して第一回転ローラ１に平行に配置されて回転可能に支持される第二回転ローラ２と、これらそれぞれの回転ローラの刃部溝１ｂ、２ｂに嵌合され、かつ、刃部溝底に接触することなく固定支持される固定式スケッパー１３、１４とから構成されている。
【０００８】
同装置において、第一回転ローラ１は、右枠５ａにおいて丸メタル軸受１６ａによって、また左枠５ｂにおいて丸メタル軸受１６ｂによって回転可能に支持されている。第二回転ローラ２は、右枠５ａにおいて角メタル軸受１７ａによって、また左枠５ｂにおいて角メタル軸受１７ｂによって回転可能に支持されている。右枠５ａと左枠５ｂとは、後ステー１８ａおよび前ステー１８ｂによって連結固定保持されている。角メタル１７ａ、１７ｂは、それぞれ右枠５ａ、５ｂにおいて、角メタル押ネジ１９ａ、１９ｂによって第一回転ローラ１と第二回転ローラ２の芯間距離が調整可能なように、スライド可能に保持されている。スケッパー１３、１４は、それぞれ、後ステー１８ａ、前ステー１８ｂにボルトにて固定締結されている。
【０００９】
このように構成された当該回転式裁断装置１０は、従来の製麺機の基台に取り付けられて使用され、従来の裁断装置を使用する場合とまったく同様の要領で、麺類の平板状の原料から細長く裁断された麺類を得ることができる。
【００１０】
【考案の効果】
このような構成の回転式裁断装置においては、スケッパーは、回転ローラの溝部底に接触していない。従って、回転ローラ溝底部との接触による摩耗がない。すなわち、スケッパーの摩耗粉による黒色異物混入の心配がない。
【図面の簡単な説明】
【図１】本発明に係る麺類用の回転式裁断装置の一例を示す平面図（ａ）、正面図（ｂ）、および同図の矢印Ｃ−Ｃ方向の縦断面図（ｃ）、矢印Ｄ−Ｄ方向の縦断面図（ｄ）、矢印Ｅ−Ｅ方向の縦断面図（ｅ）。なお、縦断面図（ｅ）は、本考案に直接関係する部分なので、２倍に拡大してある。
【図２】従来の麺類用回転式裁断装置の一例を示す平面図（ａ）、正面図（ｂ）、および同図の矢印Ｃ−Ｃ方向の縦断面図（ｃ）、矢印Ｄ−Ｄ方向の縦断面図（ｄ）、矢印Ｅ−Ｅ方向の縦断面図（ｅ）。なお、縦断面図（ｅ）は、本考案に直接関係する部分なので、２倍に拡大してある。
【符号の説明】
０→従来の麺類用回転式裁断装置
１０→本考案に係る麺類用の回転式裁断装置
１，２→回転式裁断装置の回転ローラ
１ａ、２ａ→同回転ローラの刃部
１ｂ、２ｂ→同回転ローラの刃溝部
３，４→従来の麺類用回転式裁断装置のスケッパー
１３，１４→本考案に係る麺類用の回転式裁断装置のスケッパー
５ａ，５ｂ→回転式裁断装置の枠
１６ａ，１６ｂ→回転式裁断装置の丸メタル軸受
１７ａ，１７ｂ→回転式裁断装置の角メタル軸受
１８ａ→回転式裁断装置の後ステー　　１８ｂ→回転式裁断装置の前ステー
１９ａ，１９ｂ→回転式裁断装置の角メタル押ネジ
２１ａ，２１ｂ→回転式裁断装置の喰合歯車
【図１】
0003097740.tif 000003
【図２】
0003097740.tif 000004
(57)【要約】　　　（修正有）【課題】機器を移動や据付の際にアジャスターの高低調節が容易にでき、重量の機器にも対応できるアジャスター付キャスターを提供することにある。【解決手段】直接的に機器の重量が操作力に影響されないウォームギア１４を内蔵した。また、重量用の機器では手動の調節を行うことは困難なため電動工具を用い機器の重量に左右されない容易な調節作業を行うことができるようにした。【選択図】図１
0003097724.tif 000002
【実用新案登録請求の範囲】
【請求項１】
機器の底面に設置された機器の移動と固定を兼ねるアジャスター機構の付いたキャスターに於いて、アジャスターの高低調節の操作力が軽減できるウォームギアを内蔵し、その調節を手動のみならず電動工具を用いても行うことが可能なアジャスター付キャスター。
【考案の詳細な説明】
【０００１】
【考案の属する技術分野】
本考案は、主に産業用機器を対象とした機器の底面に設置され、必要なときに容易に移動でき、移動の後に目的の位置で機器を簡便に据え付けることができるキャスターに関するものである。
【０００２】
【従来の技術】
これまで容易に移動や運搬できない機器に対して、機器の底面に簡易に移動できるようキャスターと、また機器が安定して作業できるように固定することができるアジャスターが取付けられていた。これらの移動と固定の切換はアジャスターのボルト部に押入されたナットを回転させねじ込みで高低調節を行っていた。これらを使ってキャスターとアジャスターが一枚のプレートに付属されている構造では、設置面が大きいため機器に設置しにくい上、アジャスターと機器を繋ぐための穴が必要となり、これを使用する際には条件が必要とされ、それに合わせた取付けを行っていた。
【０００３】
アジャスター機構が付属したキャスターは、機器を移動する場合には、キャスターが着床する高さまでアジャスターを上げる調節をし、機器を固定する場合には、キャスターが床から離れる高さまでアジャスターを下げる調節を行っていた。この調節は、アジャスター機構の付いたキャスターが付属されている機器の重量に直接的に関わるため、機器の重量が重ければ重いほどアジャスターの高低調節のために付いているハンドルの歯車は重く人間の力では容易に調節することはできないため工具を用いてひと回りづつ調節を行っていた。このため、アジャスターの手動の調節は手間を要する問題であり、機器の設置場所の変更や移動は簡単にできない状況であった。
【０００４】
また、レバーを踏み込むことでアジャスターが着床しキャスターが持ち上げられ、レバーを解除するとキャスターが着床しアジャスターが床から離れるといった簡単なレバー操作のアジャスター付キャスターもあるが、重量用の機器には適していなかった。
【０００５】
【考案が解決しようとする課題】
本考案は、機器の移動や固定の際にアジャスターの高低調節が容易にでき、重量の機器にも対応できるアジャスター付キャスターを提供することにある。
【０００６】
【課題を解決するための手段】
そこで、本考案は、直接的に機器の重量を操作力に影響されないウォームギアを内蔵した。また、重量用の機器では手動の調節を行うことは困難なため電動工具を用い機器の重量に左右されない容易な調節作業を行うことができるようにした。
【０００７】
【実施例】
以下、本考案の一実施の形態を図面の基づき説明する。図１は本考案のウォームギア方式アジャスター付重量キャスターの機器移動時の部分断面図である。図２は本考案のウォームギア方式アジャスター付重量キャスターの機器移動時の平面図である。図３は本考案のウォームギア方式アジャスター付重量キャスターの機器移動時の側面図である。図４は本考案のウォームギア方式アジャスター付重量キャスターの機器固定時の部分断面図である。
【０００８】
このキャスター１は、スチールボール２を介した玉ケース３がフォーク４とかしめられ天板５と接し旋回を自在とする。玉ケース３とフォーク４がかしめられたものを間にして、スチールボール６を介した中空玉押７と天板５がかしめられる。車輪８をホイルシャフト９に通し回転を自在としている。
【０００９】
中空玉押６の中空部に軸１０を通し、両端を留めねじ１１で嵌合し、軸１０の下端にアジャスター１２を付属する。中空玉押６の下に機器の重量を受けても旋回ができるスラストベアリング１３を設けキャスター１の安定を図る。軸１０の中間部付近に軸１０とウォームギア１４をラジアルベアリング１５で固定しウォームギア１４の回転を補助する。
【００１０】
実際、機器の移動や固定を行うときにはアジャスター１２の高低調節で切換が可能となる。機器を移動する場合はアジャスター１２をキャスター１が着床する位置まで浮かせなければならず、機器を固定する場合にはキャスター１をアジャスター１２が着床する位置まで浮かせなければならない。このアジャスター１２の高低調節はフォーク７端に設けられた差込口１６に工具を差し込み手動で回し調節を行う。また今まで困難とされてきた重量機器でも電動工具を差し込むだけ調節可能とし、無理な力を必要としなくても誰でも容易に調節操作が行えるようになる。
【考案の効果】
以上のように、請求項１の考案によれば、機器の移動や固定の際にウォームギアを内蔵したアジャスター付キャスターにすれば、アジャスターの高低調節のために必要な操作力が小さくて済み容易に調節を行えるようになった。重量用の機器では手動での調節は困難なため電動工具を用い調節が行えるような差込口を設け、機器の移動や固定という目的に対して容易に行えるようになる。
【図面の簡単な説明】
【図１】本考案によるウォームギア方式アジャスター付重量キャスターの移動時の部分断面図である。
【図２】本考案によるウォームギア方式アジャスター付重量キャスターの移動時の平面図である。
【図３】本考案のウォームギア方式アジャスター付重量キャスターの機器移動時の側面図である。
【図４】本考案のウォームギア方式アジャスター付重量キャスターの機器固定時の部分断面図である。
【符号の説明】
１　　キャスター
２　　スチールボール
３　　玉ケース
４　　フォーク
５　　天板
６　　スチールボール
７　　中空玉押
８　　車輪
９　　ホイルシャフト
１０　軸
１１　留めねじ
１２　アジャスター
１３　スラストベアリング
１４　ウォームギア
１５　ラジアルベアリング
１６　差込口
【図１】
0003097724.tif 000003
【図２】
0003097724.tif 000004
【図３】
0003097724.tif 000005
【図４】
0003097724.tif 000006
(57)【要約】【課題】昆虫等の採集に画期的な利便性を提供する事が出来る。【解決手段】上と下にあるＦＲＰリング（１）と薄い軽い網（２）からなる底と天井そして側面から成るネツトで出入り口はジッパー（３）を取りつけ、尚且つ吊手（４）をとりつけたものである。【選択図】　図１
0003097713.tif 000002
【実用新案登録請求の範囲】
【請求項１】
ＦＲＰポールで任意の経のリング（１）を２個作りネット（２）で袋を作り上下２個のリングに合わせて作る虫かご。
【考案の詳細な説明】
【０００１】
【考案の属する技術分野】
この考案は、鱗翅目その他の昆虫を採集し、卵を生ませたり、幼虫を飼育したり、蓄養したり、メスオスを入れて交配させたり、観察したりするものである。
【０００２】
【従来の技術】
木や金属でできた、物が多く本件の様にコンパクトに畳むことは出来なかった。
【０００３】
【考案が解決しようとする課題】
固体の損傷や、鱗ぷんが落ち難い、使用せぬ時はコンパクトにたたむことができる。
軽い、採集旅行に便利、等など　使用上の便利さは　各段の向上した。
本考案は、以上の欠点を解決するために、考案された物である．
【０００４】
【課題を解決するための手段】
先ず、直経と高さを決めてＦＲＰのリングを２個　作る、軽い透明なネツトを合わせて作る　出入り口は　任意の大きさのジッパアーを取りつける．天井部分に　吊手をつける。
【０００５】
【考案の実施の形態】
以下、本考案の実施の形態を説明する．
（１）小型の蝶には直経２５ｃｍｘ高さ２５ｃｍのサイズです。
（２）中型の物には直経３０ｃｍｘ高さ４５ｃｍは蜻蛉や、ホタル、蝶、等
（３）大型はホタルを観光用に直経６０ｃｍｘ高さ１００ｃｍ。
規格を替えれば　色々なステージで使えます．
【０００６】
【考案の効果】
試験場、大學の研究室、昆虫の採集に、アマチュアも　誰でも簡単に使えます。
【図面の簡単な説明】
【図１】
本考案の斜視図
【符号の説明】
１　ＦＲＰのリング
２　目の細かい網
３　虫等を出入れするジイッパー
４　吊手
【図１】
0003097713.tif 000003
(57)【要約】【課題】コップの不使用時は、極めて簡単に逆さ掛け保持ができて、水切りと衛生的に優れた下向き掛けコップを提供する。【解決手段】コップ本体の外側面に設けられた取っ手の下部に湾曲した係止部を設け、この係止部を壁面の釘などに掛止することにより、コップを下向きに吊す。【選択図】　　図１
0003097714.tif 000002
【実用新案登録請求の範囲】
【請求項１】
コップ本体の外側部に取っ手を設け、該取っ手の下部に掛止部を設けたことにより、開口部が下向きに掛止されることを特徴とする下向き掛けコップ。
【考案の詳細な説明】
【０００１】
【考案の属する技術分野】
本考案はコップの開口部を下向きに逆さ掛けを可能にし、又コップの積み重ねを可能にする、取っ手付きコップに関するものである。
【０００２】
【従来の技術】
従来の取っ手付きコップは不使用時には飲み口を上向きにして吊す、この場合水切りが悪く、又コップ内に塵埃などが溜まる欠点がある。
飲み口を下にして平面上に伏せて置くと、内部の乾燥が悪く、不衛生になる恐れがあった、このような不都合に対しコップを下向きにしてコップの内底を支持するものが市販されている、又先願として特開２００１−２５４３３がある。
本案コップと取っ手の形状が類似したものが市販されているが、このコップは一見したるところでは差異は僅少であるが、このコップは飲み口を下向きにして吊すことが、不可能なコップであるため、本案コップと根本的に大きく相違したものである。
【０００３】
【考案が解決しようとする課題】
ところで上記のような従来のコップ内底支持方式は支持面がコップ内底に密着するので支持面が汚れていると、その汚れがコップ内底面に付着し衛生的に清潔さを保ち得ないと言う不都合問題があった。
また飲み口を上向きにして吊すと水切りが出来ず、コップ内部に塵埃が入り不衛生である。
【０００４】
本考案は上記の点に着目して成されたもので、コップ本体の不使用時の姿勢を下向きになるよう即ち飲み口を下方を向けコップ内の水切りをよくする。
コップ内に支持物を設けず、コップ取っ手を工夫することにより飲み口を下方向きにさせるようにする。
【０００５】
【課題を解決するための手段】
本考案は、以下の構成を備えることにより、上記課題を解決することにある。コップ本体の外側に縦状に取っ手を設け、この取っ手の下端に係止部を設けるコップを吊り下げ用として壁面に設けられた掛け釘に、コップ取っ手の係止部を掛けると、コップは自然に飲み口を下方に向け吊り下げられる。
【０００６】
コップの積み重ねを可能にするため取っ手の下端部をコップの側面に接続させず隙間を設けることにより、コップの積み重ねを可能にする、この隙間間隔はコップの胴部肉厚より大きくされている。
【０００７】
【実施例】
以下に本考案の実施の形態を説明する、図１は本考案の下向け掛けコップの側面にして１はコップ本体、２はその開口部である、３は取っ手であって、上端はコップ本体１の上部側面に固着されている、取っ手３の下端は湾曲状に形成され係止部４になっている。
【０００８】
図２は本案下向け掛けコップを吊して置く場合の状態図にして、壁面などに設けられた掛け釘６に係止部４を掛けると、コップ本体１は自然に開口部２を下に向け吊り下がる、このためコップ本体１内の水は完全に流出される。
【０００９】
図３は本考案の下向け掛けコップを積み重ねた場合の状態図であって、取っ手３の端部の係止部４とコップ本体１の外側面との間に隙間５を設けることによりこの隙間５に、上にかぶさるコップの胴部が入り積み重ねがされる。
【００１０】
本考案の下向け掛けコップを積み重ねないで使用する場合のものは取っ手下端の係止部４をコップ本体１の外面下部に固着し、隙間５を除去する。
本考案のコッブ本体の物質は、ガラス、合成樹脂、陶器、金属等にて製作し得る事は勿論である。
本考案はこのような実施例に何等限定されるものでなく本考案の要旨を逸脱しない範囲において種々なる態様で実施し得るは勿論である。
【００１１】
【考案の効果】
以上詳記したように本考案によればコップ本体に固着された取っ手に設けられた係止部を、壁面に設けられた掛け具に簡単に、掛け、外し操作によって支持させたり、取り外すことができると共に、支持の場合はコップの開口部を下向きにして逆さ掛け状態にすることができるので、コップ内の水を完全に流出させることができる。
コップの開口部を下向きにて吊すためコップ内に塵埃の入ることがなく、衛生的な管理ができる。
本考案は簡単な構成であるため製作も容易であり、安価にて製造できるものである。
【図面の簡単な説明】
【図１】本考案の下向け掛けコップの側面図である。
【図２】本考案の下向け掛けコップを、下向きに吊り下げた状態図である。
【図３】本考案の下向け掛けコップを積み重ねた状態図である。
【符号の説明】
１　コップ本体
２　開口部
３　取っ手
４　係止部
５　隙間
６　掛け釘
【図１】
0003097714.tif 000003
【図２】
0003097714.tif 000004
【図３】
0003097714.tif 000005
(57)【要約】　　　（修正有）【課題】この考案は、廃棄する発泡スチロールを効率的に破砕、溶解及び取り出し処理することが可能な破砕、溶解装置を提供する。【解決手段】溶解槽（１）を傾斜、自転させて、この槽内に攪拌羽根（２）を設け、溶解槽（１）を転回している。又、破砕機（３）を連結させた構成となっている。【選択図】　　図２
0003097716.tif 000002
【実用新案登録請求の範囲】
【請求項１】
溶解槽（１）を傾斜、自転させて、この槽内に攪拌羽根（２）を設けて溶解槽（１）を転回し又、破砕機（３）を連結させた構成の発泡スチロール破砕・溶解装置。
【考案の詳細な説明】
【０００１】
【発明の属する技術分野】
この考案は廃棄する発泡スチロールを再加工する為に破砕し、溶解することに関する発泡スチロール破砕・溶解装置である。
【０００２】
【従来の技術】
従来のものは、廃棄発泡スチロールを適当な大きさに手動で砕き、直接溶解槽へ投入し溶解をしていた。
又、溶解槽内には回転羽根が回転して発泡スチロールと溶剤を攪拌していた。溶解液の排出は溶解槽の底部に設けられた排出弁を開いて行っていた。
【０００３】
【考案が解決しようとする課題】
従来のものは次のような欠点があった。
ア、　溶解槽の排出弁から粘着性の強い溶解物が中々取り出しにくい。
イ、　発泡スチロールの溶解に時間が掛り遅い。
これらの欠点を解決する為に考案をした。
【０００４】
【課題を解決すための手段】
溶解槽（１）を傾斜、自転させて、この槽内に攪拌羽根（２）を設け、溶解槽（１）を転回している。
又、破砕機（３）を連結させた構成となっている。
【０００５】
【考案の実施の形態】
考案の実施については、溶解槽（１）は釣鐘形状をし、上部の円形の開口部が破砕した発泡スチロールの受入口（４）及び溶解液の排出口（４）になっている。
溶解槽（１）は適度に傾斜設置し、この槽内には攪拌羽根（２）を付設して動力で回転することにより、攪拌効率をよくしている。
又、破砕機（３）は上部に廃棄の発泡スチロール投入口（６）があり、下部に左ねじれの切刃（４）が取付けられ、モーター（７）で回転する。
破砕機（３）に投入された発泡スチロールは回転する切刃（４）で小片に砕かれると同時に羽根の形状により吸引されて破砕機（３）下部の落下口（８）から溶解槽（１）の受入口（４）に移り、溶解槽（１）の溶剤（９）に落下し、自転する溶解槽（１）と付設の攪拌羽根（２）で混合攪拌され、溶解液ができる。
この溶解液の取出しは回転レバー（１０）又はハンドル（図示なし）で溶解槽（１）を転回して排出口（４）から別の受け箱に受けて行う。
【０００６】
【考案の効果】
この考案の実施効果としては溶解槽が転回するので溶解液と溶解物の仕分けが簡単で溶解液の取出しが容易で早くできる。溶解槽が傾斜し自転する為、溶解効率が良いので溶解時間が早い。
又、発泡スチロールの破砕に手間が掛らないなどの効果がある。
【図面の簡単な説明】
【図１】本考案の正面図
【図２】本考案の側面図
【符号の説明】
１　溶解槽
２　攪拌羽根
３　破砕機
４　切刃
５　受入口及び排出口
６　投入口
７　モーター
８　落下口
９　溶剤
１０　回転レバー
【図１】
0003097716.tif 000003
【図２】
0003097716.tif 000004
(57)【要約】　　　（修正有）【課題】自動車内や部屋などの空間における臭いを芳香剤や消臭スプレーを使わずに、クッションや座布団の形で臭い物質を吸着させ消臭させることにより、簡便に消臭効果を得る。【解決手段】ウール繊維に特殊な消臭効果を施し、アンモニア、アセトアルデヒド、酢酸、硫化水素、ピリジン、ホルムアルデヒドなどの臭いの成分を強力に吸収する能力を持たせた物を布にし、クッションや座布団のカバーとして用いる。【選択図】　　なし【実用新案登録請求の範囲】
【請求項１】
ウール繊維に特殊な消臭効果を施し、アンモニア、アセトアルデヒド、酢酸、硫化水素、ピリジン、ホルムアルデヒドなどの臭いの成分を強力に吸収する能力を持たせた物を布にし、クッションや座布団のカバーとして用いて、自動車内や部屋の中のなどで消臭効果を得られるクッション。
【考案の詳細な説明】
【０００１】
【考案の属する技術分野】
本考案は、自動車内や部屋などの空間にクッションや座布団として置く物に、強力な消臭効果を持たせた布を用い、部屋などに漂う悪臭を吸着するクッションに関する物である。
【０００２】
【従来の技術】
従来、クッションや座布団として形状が同じ物は有ったが、臭いを吸着させ空間の臭いを取り去る性能を持たせた物では無かった。
【０００３】
【考案が解決しようとする課題】
従来のクッションや座布団には、臭いを吸着させる性能を持たせた物は無く、単に座る時の敷物や飾りだけであった。
【０００４】
自動車内や部屋などの空間の臭いを消すために芳香剤や消臭スプレーなどが昨今多用されているが、空気中に化学物質を撒き散らすことや、芳香剤の臭いが強すぎる等の問題点を有していた。
【０００５】
本考案は、従来の技術の有するこのような問題点に鑑みてなされた物であり、その目的とするところは、自動車内や部屋などの空間に漂う悪臭を放つ臭い物質を、図２、図３で示したように吸着させ消臭させることをクッションの形で提供しようとする物である。
【０００６】
【課題を解決するための手段】
先行技術文献として、実用新案登録第３０７０７７２号（平成１２年５月３１日登録）の布を用いる。
上記課題を達成するために本考案におけるクッションは、特殊加工した臭いを強力に吸着し消臭させることのできる布を張った物である。
【０００７】
本考案のクッションを悪臭のする自動車内や部屋などの空間に置くことにより、芳香剤や消臭スプレーなどの化学物質を空間に撒き散らすこと無く消臭を確実に実現できる物である。
【０００８】
【考案実施の形態】
考案実施の形態について図面を参照して説明する。
図１において、クッションの外側の布は強力な消臭性能を備えた布である。
【０００９】
【考案の効果】
本考案は、上述のとおり構成されているので、次に記載する効果を奏する。
【００１０】
請求項１においては、簡単にどこにでも設置できる形状を有する物であり、自動車内や部屋などの臭いを取るという目的を実現でき、外観的にも優れている。また、空間に漂う臭いを放つ悪臭物質を、従来品に無く強力に吸着し、消臭する性能を持たせた布であり、他の芳香剤や消臭スプレーなどのように空気中に化学物質を撒き散らすこと無く消臭効果が得られる。さらに、取扱が容易でどこにでも簡単に設置でき、外観も優れている。
【図面の簡単な説明】
【図１】全体の構造図である。
【図２】布のアンモニアガス、アセトアルデヒドガス、酢酸ガス、硫化水素ガス、および、ピリジンガスに対する財団法人　日本化学繊維検査協会　大阪事業所の発行した吸着試験の証明書である。
【図３】布のホルムアルデヒドガスに対する財団法人　日本化学繊維検査協会　大阪事業所の発行した吸着試験の証明書である。
【図４】先行技術文献　実用新案登録第３０７０７７２号（平成１２年５月３１日登録）の実用新案登録証である。
【図１】
0003097715.tif 000002
【図２】
0003097715.tif 000003
【図３】
0003097715.tif 000004
【図４】
0003097715.tif 000005
(57)【要約】【課題】本考案は、移動式仕切り板を備え雑誌の崩れを防ぎ傷まなくする。【解決手段】製造時又は、アタッチメントで取付ける。仕切り板はステーに沿って動かし雑誌に合せて止める。使用しない時は隅に置けば現状と同じ状態で使用できる。【選択図】　図１
0003097717.tif 000002
【実用新案登録請求の範囲】
【請求項１】
移動式仕切りを備え雑誌の崩れ防止する雑誌販売台。
【請求項２】
雑誌販売台にアタッチメントで取付ける移動式仕切り。
【考案の詳細な説明】
【０００１】
【考案の属する技術分野】
本考案は、雑誌の残量の位置に合せる仕切り板で、崩れを防止し傷みを防ぐ。
【０００２】
【従来の技術】
現在市販されている雑誌販売台では、立てた雑誌が途中で空いた場合に崩れる。崩れ防止の対策がされていない。
【０００３】
【考案が解決しようとする課題】
本考案は、その欠点をなくすために、従来方式に本考案の移動式仕切り板を備えれば崩れなくなる。
１．新たに製造するものは製造時から付ける、又はアタッチメントで取付ける。
２．製造、販売されているものには、アタッチメントで取付ける。
【０００４】
【課題を解決するため手段】
１．移動式仕切りを備え仕切り板は、ステーに沿って動かし雑誌に合せて止め崩れを防止する。使用しない時は隅に置けば現状と同じ状態で使用できる。
２．雑誌販売台に、図（３）アタッチメントを支柱（Ａ）又は横棒（Ｂ）に固定する。仕切り板は、ステーに沿って動かし雑誌に合せて止め崩れを防止する。使用しない時は隅に置けば現状と同じ状態で使用できる。
【０００５】
【考案の効果】
移動式仕切り板を付け固定すれば崩れないので、傷みが少なくなり品質維持に効果がある。
【０００６】
【図面の簡単な説明】
【図１】雑誌販売台の仕切り状態を示す斜視図である。
【図２】仕切り部を示す斜視図である。
【図３】アタッチメント部を示す斜視図である。
【図４】アタッチメント部品図を示す。
【符号の説明】
（１）・・・・雑誌販売台本体
（Ａ）・・・雑誌販売台の支柱
（Ｂ）・・・雑誌販売台の横棒
（２）・・・・仕切り部
（３）・・・・仕切りステー
（３−１）・・・ステー棒
（３−２）・・・取付け金
（３−３）・・・仕切り板
（３−４）・・・締付けネジ
【図１】
0003097717.tif 000003
【図２】
0003097717.tif 000004
【図３】
0003097717.tif 000005
【図４】
0003097717.tif 000006